(57)【要約】【課題】需要者への情報伝達性に優れた見やすい構造であって、パッケージツアーの安心感と個人旅行のような自由度とを掛け合わせた個人個人が旅程を自由に設計できる旅行商品を掲載して販売することが可能な旅行商品販売用印刷物を提供する。【解決手段】旅程表示領域５には、日次表示欄１１、日程表示欄１２、及び、観光内容表示欄１３が配置されている。観光内容表示欄１３には、個別に選択できるそれぞれの観光コンテンツの内容を示す観光コンテンツ選択肢１６が、時間軸１４に沿って並列に配置されている。観光コンテンツ選択肢１６は、観光コンテンツの内容を示す文字情報と図形とを組み合わせて構成されている。それぞれの観光コンテンツには選択する際に必要なポイントが予め設定されており、観光コンテンツ選択肢１６には、その観光コンテンツを選択する際に必要となるポイントを表示したポイント表示部１７を備えている。【選択図】図２
0003193263.tif 000002
【実用新案登録請求の範囲】
【請求項１】
旅行商品に関する情報を掲載した紙片から構成される旅行商品販売用印刷物であって、
前記紙片は、少なくとも、
旅行先の地名と上から下に向けて日次が進行する旅行日付とを示す日次表示欄と、
該日次表示欄の右側に隣接して配置される欄であって、前記旅行日付の各日別に対応する滞在場所又は宿泊場所の少なくとも一方の場所を示す日程表示欄と、
該日程表示欄の右側に隣接して配置される欄であって、前記旅行日付の各日別に対応する観光内容を示す観光内容表示欄と、
を表示する旅程表示領域を備え、
該旅程表示領域には、前記日次表示欄の日次進行方向に対して直交方向に一日の時間の経過を示す時間軸を配し、
前記観光内容表示欄には、前記時間軸に沿って同じ時間帯の中において選択可能な観光コンテンツの内容を文字及び図形で示す観光コンテンツ選択肢を並列に複数配置した部分が存在することを特徴とする旅行商品販売用印刷物。
【請求項２】
前記観光コンテンツ選択肢にその観光コンテンツを選択する際に必要なポイントをそれぞれ表示したことを特徴とする請求項１に記載の旅行商品販売用印刷物。
【請求項３】
前記観光コンテンツ選択肢に色を付けたことを特徴とする請求項１又は２に記載の旅行商品販売用印刷物。
【請求項４】
前記観光コンテンツ選択肢に添乗員の有無を識別可能に表示したことを特徴とする請求項１乃至３のいずれか１項に記載の旅行商品販売用印刷物。
【請求項５】
前記旅程表示領域に、食事の時間帯において選択可能な店名又は料理名の内容を文字及び図形で示す食事選択肢を複数配置し、該食事選択肢に多段階式の推奨印を付与したことを特徴とする請求項１乃至４のいずれか１項に記載の旅行商品販売用印刷物。
【請求項６】
前記旅程表示領域に、選択可能な発着地を示す発着地選択肢を複数配置したことを特徴とする請求項１乃至５のいずれか１項に記載の旅行商品販売用印刷物。
【請求項７】
前記観光コンテンツ選択肢をそれぞれ選択して組み合わせた旅程サンプルを表示する旅程サンプル表示領域をさらに備えたことを特徴とする請求項１乃至６のいずれか１項に記載の旅行商品販売用印刷物。
【請求項８】
前記観光コンテンツの内容に関する詳細情報を示す詳細情報表示領域をさらに備えたことを特徴とする請求項１乃至７のいずれか１項に記載の旅行商品販売用印刷物。
【請求項９】
前記紙片を複数枚集合させて少なくともその一部を綴じて冊子形状としたことを特徴とする請求項１乃至８のいずれか１項に記載の旅行商品販売用印刷物。
【考案の詳細な説明】
【技術分野】
【０００１】
本考案は、旅行商品に関する情報が掲載されたパンフレット、カタログ、リーフレット等の旅行商品販売用印刷物に係り、特に、パッケージツアーでありながらも自由度の高い旅行商品を掲載して販売することができる旅行商品販売用印刷物に関する。
【背景技術】
【０００２】
従来から、商品又は役務の内容を掲載したパンフレット、カタログ、リーフレット等の印刷物が種々の分野で広く利用されている。これらの印刷物は、各種商品又は役務の案内、説明、宣伝広告等に用いられるものであり、一枚刷りの印刷物であるリーフレット、複数頁の印刷物を簡易的に綴じた冊子又は小冊子であるパンフレットやカタログ等、その形態によってそれぞれ分類されており、このような印刷物に関する技術も多数開示されている。特に、上記のような印刷物においては、掲載した商品や役務の内容を見やすく効率的に表現するための構造に関する技術も多い。
【０００３】
例えば、特許文献１には、予め定められた工程からなる作業で用いる商品を多数掲載するカタログにおいて、商品又は作業工程と、該当する商品の商品説明が掲載されるカタログ指定頁とを表示した工程別インデックスを１つの見開き頁に掲載することにより、目的の商品がどのような工程で必要となるかを認識することができ、関連する商品を素早く検索することができるカタログに関する技術が開示されている。
また、特許文献２には、層状に重なり固定情報印刷頁を有している複数の第１のシートと、その第１のシートの任意の層に丁合いされた可変情報印刷頁を有している少なくとも１枚の第２のシートとを備え、可変情報が印刷されている可変情報印刷頁を冊子の任意の頁に設けることにより、可変情報を印刷した頁がある場合であっても、見落とされにくく、読みやすい冊子に関する技術が開示されている。
【先行技術文献】
【特許文献】
【０００４】
【特許文献１】特許第４５１８４４５号公報
【特許文献２】特開２００６−６９１８９号公報
【０００５】
また、上記のような印刷物の一種として、パッケージツアー等の旅行商品に関する情報を掲載した旅行商品販売用パンフレットも広く普及している。
旅行商品販売用パンフレットとは、各種旅行商品に関する情報を掲載してそれらの旅行商品の販売を目的とする販売促進ツールであって、宿泊、交通、その他の各種旅行商品を仲介又は自社で企画・催行して販売している旅行会社や旅行代理店等が作成し、旅行を計画している需要者に対して頒布等して、その需要者に旅行商品の購入を促すものである。
【０００６】
この旅行商品販売用パンフレットに掲載される代表的な旅行商品としては、例えば、パッケージツアーが挙げられる。
このパッケージツアーとは、国内旅行や海外旅行において、旅行会社や旅行代理店が出発地（集合場所）から帰着地（解散場所）までの全旅程を管理する形態の旅行商品である。特に、添乗員が同行するパッケージツアーでは、移動や現地での宿泊手配等は同行している添乗員に任せたり、現地で万一のことがあった場合でも一定のサポートが受けられる等、海外等の言葉が通じない不慣れな土地であっても安全且つ容易に旅行することができるので、安心感が高いという利点を有する。
また、パッケージツアーであれば、旅先の地理や観光名所等に関する情報についての事前収集が少なくても、旅行会社等により予め旅程が決められているので、比較的多くの観光名所を短時間に効率良く周遊することができる。さらに、旅行の計画時や申込時においても、交通機関や宿泊施設などについて需要者が自ら個別に探して予約をする手間を省いて旅行の手配が一本化できるので、手続面での負担も軽減される。
【０００７】
ここで、上記のようなパッケージツアーが掲載された従来の一般的な旅行商品販売用パンフレットの一例を図５に示す。図５は、従来の旅行商品販売用パンフレットの内容を示す概略的な表面図である。
図５に示すように、従来の旅行商品販売用パンフレット５１は、その表面（紙面）に、主として、料金表示領域５２と旅程表示領域５３とを備えている。
【０００８】
料金表示領域５２には、旅行代金を示す料金表５４が含まれており、その料金表５４の縦軸は左から出発日（曜日）列、最小催行人員列、旅行代金列と構成されており、その内容が出発日の時間軸に沿って上の行から下の行に表示される構成である。出発日（曜日）列は、さらに月列と日（曜日）列とに分割され、旅行代金列は、さらに飛行機の座席クラスごとにＹクラス席列とＣクラス席列とに分割されている。この料金表５４においては、旅行代金は、出発日（曜日）と飛行機の座席クラスごとにそれぞれ設定されており、同じ出発日であれば２つの料金体系となっている。その他、この料金表示領域５２には、旅行代金に関する割引情報や注意事項等、諸々の情報が表示されている。
旅程表示領域５３には、発着地や航空会社、ホテルグレード、食事の有無とその内容、添乗員の有無、最小催行人数等に関する情報を表示して旅行の概要を説明する領域の他、旅行の大まかなスケジュールを示す旅程表５５が含まれている。その旅程表５５の縦軸は左から日次列、スケジュール列、食事列と構成されており、その内容が旅程の日次進行方向に沿って上の行から下の行に順に表示される構成である。
日次列は、さらに国名列と旅行日付列とに分割されている。旅行日付列には、旅行何日目かを示す数字とその日の曜日が表されている。スケジュール列は、さらに左から時間と観光場所等の観光内容の概略を示す概略表示列と、その観光内容の中身をより詳しく説明した詳細表示列とに分割されている。概略表示列には、その日に滞在又は観光する都市名等と、到着時間や観光時間等の予定を示す時間が表されている。詳細表示列には、その観光内容の簡単な説明が記載されている。食事列は、朝昼夕ごとに列で区切られ、それぞれの食事の有無やその内容が主に表されている。
上記のような構成により、従来の旅行商品販売用パンフレット５１を見れば、例えば、４月５日（土）出発のＹクラス席の旅行代金は３３９，９００円であると把握することができる。また、イタリア旅行２日目の予定は、昼食と夕食には予め決まったメニューが用意されており、午前は８：３０からミラノ市内観光、午後はベローナ観光、夜は１８：３０にベネチアのホテルに到着して宿泊するというような大まかなスケジュールを把握することができる。
【考案の概要】
【考案が解決しようとする課題】
【０００９】
ところで、このような添乗員が同行するパッケージツアーであれば便利で安心という反面、観光や食事の内容が予め全て決まっているので自由度が低いという面もある。
特に、パッケージツアーの場合、その内容は、大多数の人々に人気のある定番の観光地や観光内容に偏ってしまうので、旅程や料理内容に新鮮味が無く単調なことも多い。そのため、旅行慣れしている人や、その国や街を何度も訪れているような人であれば、パッケージツアーで用意されているような定番の観光では、物足りなく感じることがある。また、観光ルートが時系列で細かく設定されているので、せわしなく感じる場合があったり、旅行中の大半を他のツアー参加者と共に行動するため、煩わしく感じたりする場合もある。さらに、人によっては、パッケージツアーに参加して、観光はツアー参加者と一緒に行動することを望んでいても、夕食等は自分の好きな店（レストラン）で好きな料理を食べたい、また、家族や仲間うちだけのプライベートな雰囲気で寛ぎたいという要望も多い。
このように、需要者の間には、パッケージツアーの便利さや安心感を兼ね備えつつも、個人の嗜好や注目度に応じて、旅のひとこまひとこまは各自が自由に選択して自由度の高い旅行にしたいという要望がある。
【００１０】
しかしながら、上記要望を反映して、自由度の高いパッケージツアーを企画するとなると、旅行商品販売用パンフレットに掲載するべき情報量が多くなり非常に複雑になるので、従来の旅行商品販売用パンフレットの構造では、それらの情報全てを効率的に表現しきれず、需要者にとって見難くなったり、情報伝達性に乏しくなったりするという問題がある。
【００１１】
そこで、本考案は、上記の課題に鑑みてなされたものであり、本考案の目的は、需要者への情報伝達性に優れた見やすい構造であって、パッケージツアーの安心感と個人旅行のような自由度とを掛け合わせた個人個人が旅程を自由に設計できる旅行商品を掲載して販売することが可能な旅行商品販売用印刷物を提供することにある。
【課題を解決するための手段】
【００１２】
前記課題は、本考案の旅行商品販売用印刷物によれば、旅行商品に関する情報を掲載した紙片から構成される旅行商品販売用印刷物であって、前記紙片は、少なくとも、旅行先の地名と上から下に向けて日次が進行する旅行日付とを示す日次表示欄と、該日次表示欄の右側に隣接して配置される欄であって、前記旅行日付の各日別に対応する滞在場所又は宿泊場所の少なくとも一方の場所を示す日程表示欄と、該日程表示欄の右側に隣接して配置される欄であって、前記旅行日付の各日別に対応する観光内容を示す観光内容表示欄と、を表示する旅程表示領域を備え、該旅程表示領域には、前記日次表示欄の日次進行方向に対して直交方向に一日の時間の経過を示す時間軸を配し、前記観光内容表示欄には、前記時間軸に沿って同じ時間帯の中において選択可能な観光コンテンツの内容を文字及び図形で示す観光コンテンツ選択肢を並列に複数配置した部分が存在すること、により解決される。
【００１３】
上記構成のように、本考案の旅行商品販売用印刷物では、旅行商品であるパッケージツアーの中に日次や時間帯ごとにそれぞれ選択可能な個別の観光コンテンツの内容を文字と図形で示す観光コンテンツ選択肢が複数用意されている。この観光コンテンツ選択肢は、同じ時間帯の中において選択可能な観光コンテンツの内容を示す文字と、時間軸に沿って形成された略長方形等の図形とにより構成されている。
これにより、本考案の旅行商品販売用印刷物に接した需要者は、パッケージツアーの中から個別の観光コンテンツを自由に選択して旅程を設計できるので、個人個人の嗜好及び注目度等に応じた旅行プラン選択の幅が広がる。すなわち、便利で安心といったパッケージツアーの利点はそのまま残しつつ、個人の嗜好に合わせて旅程を自由に組むことができるので、パッケージツアーの安心感と個人旅行のような自由度とを掛け合わせた旅行をすることが可能となる。
また、１つのパッケージツアーの中に個別の観光コンテンツを複数掲載することにより情報量が多くなるが、本考案の旅行商品販売用印刷物の構造であれば、情報伝達性に優れているので、多種多様な観光コンテンツに関する情報も、煩雑になることなく簡潔に、需要者が見やすく表示することができる。
【００１４】
また、本考案の旅行商品販売用印刷物によれば、前記観光コンテンツ選択肢にその観光コンテンツを選択する際に必要なポイントをそれぞれ表示したこと、が好ましい。
このように、ポイントを消費して観光コンテンツを選択する構成としたことにより、需要者はそのポイントを計算しながら自身の所有するポイントの範囲内で最適な旅行プランを立てることができる。また、そのポイントをそれぞれの観光コンテンツ選択肢に表示することにより、この観光コンテンツには何ポイント必要か等、一目瞭然に見やすく表示することができる。
【００１５】
また、本考案の旅行商品販売用印刷物によれば、前記観光コンテンツ選択肢に色を付けたこと、が好ましい。
このように、観光コンテンツを示す選択肢に、特定のカテゴリーや種類ごとにそれぞれ色を付けたことにより、識別性が向上し、見やすく表示することができる。
【００１６】
また、本考案の旅行商品販売用印刷物によれば、前記観光コンテンツ選択肢に添乗員の有無を識別可能に表示したこと、が好ましい。
このように、添乗員が同行する観光コンテンツには、添乗員が同行する旨を一目でわかるように表示することにより、需要者は、その表示を目安にして、最適な旅行プランを立てることができる。例えば、自由度より安心感を重視したい日や地域等では、添乗員が同行する観光コンテンツを選択することができる。
【００１７】
また、本考案の旅行商品販売用印刷物によれば、前記旅程表示領域に、食事の時間帯において選択可能な店名又は料理名の内容を文字及び図形で示す食事選択肢を複数配置し、該食事選択肢に多段階式の推奨印を付与したこと、が好ましい。
このように、食事についても複数の店（レストラン）や料理から選択可能とすることにより、需要者は自由度の高い旅行が可能となる。特に、食事選択肢に多段階式の推奨印を併せて表示することにより、食事選択の一助となるので、需要者は嗜好に合った店や料理を選択することができる。
【００１８】
また、本考案の旅行商品販売用印刷物によれば、前記旅程表示領域に、選択可能な発着地を示す発着地選択肢を複数配置したこと、が好ましい。
このように、空港や駅等の発着地についても、複数の選択肢から選択できるように表示することにより、旅行の自由度がより向上する。このとき、発着地に加えて航空会社や鉄道会社（路線）等の利用する交通手段についても併せて表示してもよい。なお、発着地選択肢は旅程表の初日や最終日の欄に表示すれば、見やすく構成することができる。
【００１９】
また、本考案の旅行商品販売用印刷物によれば、前記観光コンテンツ選択肢をそれぞれ選択して組み合わせた旅程サンプルを表示する旅程サンプル表示領域をさらに備えたこと、が好ましい。
このように、観光コンテンツの選択例、すなわち、複数の観光コンテンツを組み合わせた旅程の一例（旅程サンプル）を表示することにより、需要者は旅程を設計する際の参考とすることができ、最適な旅行プランを立てることができる。特に、観光コンテンツをポイント制にした場合には、ポイントの使用例や合計ポイント等を表示することにより、ポイントを消費して観光コンテンツを組み合わせる際の目安にもなる。
【００２０】
また、本考案の旅行商品販売用印刷物によれば、前記観光コンテンツの内容に関する詳細情報を示す詳細情報表示領域をさらに備えたこと、が好ましい。
このように、観光コンテンツの内容を詳細に表示することにより、需要者に対して観光コンテンツの内容を正確且つ魅力的に伝えることができるので、需要者は最適な旅行プランを立てることができる。また、観光コンテンツの内容を詳細に表示する詳細情報表示領域を別途設けたことにより、旅程表示領域に表示する観光コンテンツ選択肢を簡潔に表示することができ、旅程表示領域をより見やすく表示することができる。
【００２１】
また、本考案の旅行商品販売用印刷物によれば、前記紙片を複数枚集合させて少なくともその一部を綴じて冊子形状としたこと、が好ましい。
このように、複数の頁から成る冊子形状としたことにより、より多くの情報を掲載することができる。例えば、種々の国や地域への旅行商品を１つの冊子（パンフレットやカタログ等）にまとめることもできる。また、冊子形状にしたことにより、旅程表示領域とは別の頁に旅程サンプル表示領域や詳細情報表示領域を掲載することもでき、より多くの情報を効率的に見やすく掲載することができる。
【考案の効果】
【００２２】
本考案の旅行商品販売用印刷物によれば、需要者への情報伝達性に優れた見やすい構造であって、パッケージツアーの安心感と個人旅行のような自由度とを掛け合わせた個人個人が旅程を自由に設計できる旅行商品を掲載して販売することが可能となる。
【図面の簡単な説明】
【００２３】
【図１】本実施形態に係る旅行商品販売用パンフレットの概略構成を示す概念図である。
【図２】本実施形態に係る旅行商品販売用パンフレットの内容の一例を示す概略的な表面図である。
【図３】本実施形態に係る旅行商品販売用パンフレットの内容の一例を示す概略的な表面図である。
【図４】本実施形態に係る旅行商品販売用パンフレットの内容の一例を示す概略的な表面図である。
【図５】従来の旅行商品販売用パンフレットの内容を示す概略的な表面図である。
【考案を実施するための形態】
【００２４】
以下、本考案の一実施形態（本実施形態）について図面を参照しながら説明する。
本実施形態は、パッケージツアーのような旅行商品を販売するためにそれらの旅行商品に関する情報を掲載した旅行商品販売用印刷物であって、特に、パッケージツアーの安心感と個人旅行のような自由度とを掛け合わせた個人個人が旅程を自由に設計できる旅行商品を掲載して販売することが可能であって、需要者への情報伝達性に優れた見やすい構造の旅行商品販売用印刷物の考案に関するものである。
【００２５】
＜本実施形態に係る旅行商品販売用パンフレットの構成＞
まず、本考案の旅行商品販売用印刷物の一実施形態である旅行商品販売用パンフレット（以下、パンフレット１）の概略構成について説明する。
図１は、本実施形態に係るパンフレット１の概略構成を示す概念図である。
図１に示すように、本実施形態のパンフレット１は、旅行商品に関する情報が掲載された紙片２を複数枚集合してステープラーや糊等で簡易的に綴じた冊子形状の印刷物である。本実施例のパンフレット１は、その構造、特に、それぞれの紙片２の表面に平面的に表された文字と図形の配列に特徴を有するものである。
【００２６】
紙片２の表面（印刷面）には、例えば、ツアータイトル表示領域３、料金表示領域４、及び、旅程表示領域５等を備えており、パンフレット１を開いたときに、その見開きの片面又は両面から、旅行商品に関する情報を把握できる構造である。
ツアータイトル表示領域３には、パンフレット１の全体又は一部で紹介されている旅行商品であるパッケージツアーの情報に関するツアータイトル等の情報が表示されている。例えば、ここでは「イタリア周遊９日間」というツアータイトルが表示されている。
料金表示領域４には、旅行代金を示す料金表６が含まれており、その料金表６には、例えば、出発日、利用空港を示す発着地、及び、飛行機の座席クラス等ごとに設定された旅行代金等が表示されている（図示略）。なお、この料金表示領域４については、従来既知のパンフレットに掲載のものとほぼ同様の構成であるので、詳細な説明は省略する。
その他、この見開きには、旅行商品に関する写真や地図を表示する構成としてもよい。また、旅行商品の紹介として、おすすめポイントに関する情報を表示する構成としてもよい。
【００２７】
次に、パンフレット１に掲載された内容のうち、旅程表示領域５について具体的に説明する。
図２は、本実施形態に係る旅行商品販売用パンフレット１の内容の一例を示す概略的な表面図であり、具体的には、旅程表示領域５の構造、すなわち、旅程表示領域５における線や文字等の平面的な配列を示すものである。
旅程表示領域５は、パッケージツアーの中で、日次及び時間軸に沿って個別の観光コンテンツの内容、食事内容、及び、発着地を一又は複数の候補から選択して組み合わせることにより、個人の嗜好に沿った現地オプションツアー等の旅行コンテンツを注文及び購入するための一覧表（旅程表）である。
【００２８】
図２に示すように、旅程表示領域５は、行と列とを順に並べる形で構成された表形式（テーブル）で表現されている。
旅程表示領域５の縦軸（列）は、左から順に日次列、日程列、観光内容列と構成されており、それぞれの列には、日次表示欄１１、日程表示欄１２、及び、観光内容表示欄１３が配置されている。一方、横軸（行）は、「日次」、「日程」、「観光、食事、発着地を選んでお好みのツアーを仕立てる」と各列の内容を示す情報（名前）を表示したヘッダ行以下、日次の進行に従って、一日ごとに一行が割り当てられている。
【００２９】
日次表示欄１１は、日次列において日次ごとに区画された欄であって、その日次表示欄１１には、旅行先の国名（都市名や地域名等でもよい）と旅行日付とが表示されている。なお、旅行日付としては、具体的には、旅行何日目かを示す数字とその日の曜日とが表示されている。
例えば、本実施形態においては、国名には「イタリア」、旅行日付には日次の進行方向に沿って上から順に「１・水、２・木、３・金、・・・９・木」と、ツアータイトルの「イタリア周遊９日間」が示す内容に沿った日次が記載されている。
【００３０】
日程表示欄１２は、日程列において日次ごとに区画された欄であって、その日程表示欄１２には、旅行の概略日程、すなわち、滞在場所、宿泊場所、その日に選択できる項目、ツアー参加者全員で行動する同一の日程内容等が表示されている。
例えば、旅行１日目を示す「１・水」の日程表示欄１２ａには、発着地を複数の候補から選択できる旨を示す「選べる発着地」と、到着地や宿泊地を示す「ミラノ着」や「ミラノ泊」等という情報が表示されている。
また、例えば、旅行２日目を示す「２・木」の日程表示欄１２ｂには、午前中の滞在地を示す「ミラノ滞在」、その日には選択できる観光コンテンツがあることを示す「選べる観光（ポイント制）」等という情報が表示されている。また、１４：００にはバスで２７６ｋｍの道のりを約３時間３０分で移動する旨表示されており、その日の夕食は選択式であることを示す「選べる夕食」という情報が表示されている。さらに、その日の宿泊場所を示す「ベネチア泊」という情報が表示されている。
また、例えば、旅行６日目を示す「６・月」の日程表示欄１２ｃには、上記のような内容の表示の他、ツアー参加者全員で行動する内容を示す「バチカンとサンピエトロ見学」、「ローマ市内観光」等という情報が表示されている。
【００３１】
観光内容表示欄１３は、観光内容列において日次ごとに区画された欄であって、その観光内容表示欄１３には、日程表示欄１２に記載された観光の概略日程において、それぞれの日次は具体的にはどのような観光内容になっているかについて時間帯ごとに表されている。
特に、本実施形態においては、同じパッケージツアーであっても、選択可能な複数の発着地や、各日次及び各時間帯によって選択できる複数の観光コンテンツが用意されており、個人個人が観光内容をその複数の観光コンテンツの中から自由に選択して組み合わせることができる構成である。
【００３２】
観光内容表示欄１３は、ヘッダ行にその観光内容列の名前を示す「観光、食事、発着地を選んでお好みのツアーを仕立てる」という情報が表示されている。また、旅行１日目と旅行２日目の間の行には、一日の時間の流れを示す時間軸１４が配置されている。
時間軸１４には、一日の時間の流れに沿って、「午前の観光／移動／ホテル」、「昼食」、「午後の観光／移動／ホテル」、「選べる夕食」と順に表示されており、それぞれの時間帯ごとに区分されている。なお、時間軸１４は、本実施形態のような午前や午後のように大まかに区分する構成であってもよいし、○○時、○○時、・・・のように具体的な時間を表示する構成であってもよい。
【００３３】
観光内容表示欄１３の旅行１日目（初日）を示す「１・水」に該当する観光内容表示欄１３ａと、旅行８日目及び９日目（最終日）を示す「８・水」及び「９・木」に該当する観光内容表示欄１３ｂには、複数の候補の中から発着地を選択できる発着地選択肢１５が表示されている。
発着地選択肢１５には、具体的には、発着地となる空港、利用する航空会社、便名、その便の出発又は到着時間等を示す情報が表示されている。
本実施形態では、例えば、発着地となる空港を「成田」、「名古屋」、「関空」、「福岡」の４つから選択することができる。また、それぞれの空港を選択したときに利用する航空会社や便名等も併せて表示されている。なお、このとき、添乗員はどこの発着地から同行するかについても表示することもでき、例えば、本実施形態では、成田発着の場合に添乗員が同行する旨明記されている。
また、発着地を選択できないパッケージツアーの場合には、発着地選択肢１５は１つのみ配置する構成としてもよい。
【００３４】
本実施形態では、旅行初日や旅行最終日等、観光コンテンツが何も用意されていない日の観光内容表示欄１３（１３ａ，１３ｂ）に発着地選択肢１５を表示している。このような配置であれば、紙面スペースを無駄なく効率的に利用することができる。ただし、発着地選択肢１５の表示方法はこれに限定されず、例えば、旅行先が近場の場合等、初日や最終日にも観光が可能な場合には、発着地選択肢１５を表示するための行やスペースを別途設けることとしてもよい。
【００３５】
観光内容表示欄１３の旅行２日目以降の欄には、個別に選択できるそれぞれの観光コンテンツの内容を示す観光コンテンツ選択肢１６が、時間軸１４に沿って並列に配置されている。
観光コンテンツ選択肢１６は、観光コンテンツの内容を示す文字情報と図形とを組み合わせて構成されている。文字情報としては、例えば、観光コンテンツのコード番号、観光コンテンツ名（観光コンテンツの内容を簡潔に表示した情報）、食事の有無や食事内容を示す情報等が含まれており、本実施形態においては、その文字情報を記載した長方形状のブロックにより構成されている。
なお、観光コンテンツ選択肢１６は、上記形状に限定されるものではなく、楕円形状等のブロックであってもよいし、文字情報を枠で囲ったフレーム、文字情報ごとに区画したセル等により構成することもできる。
【００３６】
また、それぞれの観光コンテンツには選択する際に必要なポイントが予め設定されており、観光コンテンツ選択肢１６には、その観光コンテンツを選択する際に必要となるポイントを表示したポイント表示部１７を備えている。
なお、ポイントとは、本実施形態のように、「１００」や「１５０」等、所定のレートで金額に変換可能な数字や点数のように表示してもよいし、例えば、「Ａ」は５０００円、「Ｂ」は１００００円等と予めグループ分けした記号等を表示するものであってもよい。
【００３７】
観光コンテンツ選択肢１６は、様々なタイプの需要者を惹き付けるような種々の観光コンテンツの内容を含めた、バラエティ豊かなものとすることが好ましい。
例えば、オーソドックスな市内観光や有名な美術館訪問の他、列車に乗って郊外へ出たり、定番の場所ではなくマニアックな場所に行ったりする観光コンテンツを用意することができる。また、ただ観光するだけではなく、慣習等を学びその街や土地について深く知ることができるような内容や、地元に住んでいる人々と同じような体験やその地域でしかできないような体験をする体験型観光のような観光コンテンツを用意することもできる。
また、観光コンテンツ選択肢１６によっては、昼食等について、レストランや料理メニューを選択できる場合があってもよい。
なお、これらの観光コンテンツは、日本語で案内すると共に、ホテル（宿泊施設）発着として宿泊地と集合場所との往復を不要とすれば、旅行者にとって便利であり好ましい。
【００３８】
また、添乗員が同行する観光コンテンツ選択肢１６には、添乗員表示部１８が表示されており、その観光コンテンツには添乗員が同行することが認識可能に表示されている。例えば、観光コンテンツ選択肢１６に添乗員表示部１８を備える場合は、日本から同行した添乗員が案内し、添乗員表示部１８を備えない場合は、現地日本語係員が案内することとする。
なお、添乗員表示部１８は、添乗員が同行する旨を示す文字情報を記載してもよいし、添乗員を示す図形やマーク等を表示することもできる。
【００３９】
また、観光コンテンツ選択肢１６に色を付けることにより、観光コンテンツ選択肢１６が用意されていない何も選べない日時と見やすく区別することもできる。例えば、観光コンテンツ選択肢をピンク色等の鮮やかで目立つ色とし、何も選べない場合の日時の欄を薄い黄色や白色等と色分けすれば、このパンフレット１に接した需要者は、ピンク色に表示されている日時については観光を選べる日であると一目で認識することができる。
さらに、観光コンテンツ選択肢１６は、その種類によって観光コンテンツ選択肢１６ごとに色分けして色によって観光の種類（タイプ）を区別できるようにしてもよい。例えば、オーソドックスな観光は○○色、マニアック向けの観光は○○色、体験型の観光は○○色等と色分けすることができる。
【００４０】
本実施形態では、例えば、旅行２日目を示す「２・木」の観光内容表示欄１３ｃの午前には、コード番号「ＭＬ１」、観光コンテンツ名「ミラノ市内観光」、昼食は「名物料理」、必要ポイントは「１００」という情報が含まれた観光コンテンツ選択肢１６ａと、コード番号「ＭＬ２」、観光コンテンツ名「スカラ座１００年の歴史の舞台裏」、昼食は「名物料理」、必要ポイントは「１５０」という情報が含まれた観光コンテンツ選択肢１６ｂと、コード番号「ＭＬ３」、観光コンテンツ名「ミラノサッカーの聖地スタジアムツアー」、昼食は「名物料理」、必要ポイントは「１００」という情報が含まれた観光コンテンツ選択肢１６ｃとの３つの選択肢が用意されており、それらの観光コンテンツ選択肢１６ａ、１６ｂ、１６ｃが時間軸１４に対して並列に配置されている。
また、観光コンテンツは、午前や午後の半日の観光に限定されない。例えば、旅行３日目を示す「３・金」の観光内容表示欄１３ｄには、午前と午後に分かれている他の観光コンテンツ選択肢１６と共に、コード番号「ＶＣ２」、観光コンテンツ名「＜キオッジャ＞素顔のベネチア訪問」、昼食は「昼食付」、必要ポイントは「１５０」という情報を含む観光コンテンツ選択肢１６ｄが、午前から午後にまたがる丸一日の観光コンテンツとして用意されている。
【００４１】
また、日次や時間帯によっては、観光コンテンツ選択肢１６が用意されておらず、観光コンテンツを何も選択できない日次や時間帯等があってもよい。このような何も選択できない日次や時間帯は、移動日であったり、ツアー参加者全員で一緒に行動する観光が用意されていたりする。
例えば、旅行２日目を示す「２・木」の観光内容表示欄１３ｃの午後には、観光コンテンツが用意されておらず、「選択はありません」の表示と、「昼食後、一路水の都ベネチアへ」というベネチアへ移動する旨が表示されている。
また、旅行６日目を示す「６・月」の観光内容表示欄１３ｅには、「選択はありません」の表示と、「列車で一路永遠の都ローマへ」というローマへ移動する旨と、「バチカン美術館とサンピエトロ寺院見学」や「ローマ市内観光」等、一日中ツアー参加者全員で行動して観光する旨が表示されている。
【００４２】
観光内容表示欄１３のうち、時間軸１４によって示す「選べる夕食」に対応する時間帯には、「夕食」、「いずれかをお選びください」という旨の表示と共に、個別に選択できるそれぞれのレストラン名を示す食事選択肢１９が、並列に配置されている。
食事選択肢１９は、レストラン名や食事の内容等を示す文字情報と図形とを組み合わせて構成されている。文字情報としては、例えば、コード番号、レストラン名、料理名等が含まれており、本実施形態においては、上述の観光コンテンツ選択肢１６と同様、その文字情報を記載した長方形状のブロックにより構成されている。
なお、食事が選択できない日は選択できない旨、また、食事が用意されていない日は用意していない旨表示されている。また、夕食の要否を自由に選択できることとしてもよい。
【００４３】
食事選択肢１９は、その土地ならではの名物料理、日本人が寛ぎやすい和食、有名な星付きレストラン、出掛けずに宿泊先のホテルでゆっくりと過ごす食事等、様々な状況や嗜好に応じたバラエティ豊かなものとすることが好ましい。
また、食事選択肢１９は、レストラン名に代えて料理の内容に関する情報を示すものであってもよい。料理の内容を表示する場合は、フランス料理、イタリア料理等の料理ジャンル（カテゴリー）を表示してもよいし、前菜、メイン、デザートごとに具体的なメニュー名を表示してもよい。
なお、本実施形態においては、食事選択肢１９で選択可能な夕食は、基本の旅行代金の中に含まれていることとし、ポイントに関係なく選択できる構成であるが、観光コンテンツと同様、ポイントを消費して選択する構成としてもよい。
【００４４】
食事選択肢１９には、多段階式の推奨印２０を付けて表示することもできる。多段階式の推奨印２０とは、値段や店の雰囲気によって区別するものであり、例えば、その数で区分する星印や特殊なマーク等が好ましい。
本実施形態では１個〜３個の「Ｇ」マークを付与して多段階で表示しており、例えば、以下のような区別をしている。「ＧＧＧ」の場合は、高級感があり、快適度も高いレストラン、その国の名物料理を出す店や和食の店等も含み、夕食には２時間〜２時間３０分くらいをかけ、デザートや食後のコーヒーまでゆっくり楽しむタイプである。「ＧＧ」の場合は、地元の人が家族や友人と気軽にご馳走を食べにいこうというときに出掛ける雰囲気のレストランであり、名物料理も取り揃えるタイプである。「Ｇ」の場合は、コストパフォーマンスの高い店であり、カジュアルに楽しめるタイプである。
【００４５】
次に、パンフレット１に掲載された内容のうち、旅程サンプル表示領域７、観光詳細情報表示領域８、及び、食事詳細情報表示領域９について具体的に説明する。
図３及び図４は、本実施形態に係る旅行商品販売用パンフレットの内容の一例を示す概略的な表面図である。具体的には、旅程表示領域５が掲載されている紙片２を捲って頁を展開したときに、旅程表示領域５が掲載されている紙片２の裏面又はその紙片２とは異なる次頁以降の紙片２に配置された旅程サンプル表示領域７、観光詳細情報表示領域８、及び、食事詳細情報表示領域９の構造、すなわち、それらの領域における線や文字等の平面的な配列を示すものである。
【００４６】
旅程サンプル表示領域７は、上述の旅程表示領域５の中に表示された複数の観光コンテンツ選択肢１６の選択例、すなわち、選択した観光コンテンツを組み合わせて作成した旅行プランの一例（旅程サンプル）を表示するものである。また、旅程サンプル表示領域７には、それぞれの観光コンテンツ選択肢１６を組み合わせた際のポイントの使用例も併せて表示している。
例えば、図３に示すように、本実施形態では、有名な観光スポットを網羅した初めてイタリアを訪問する人にお勧めの旅行プラン（６５０ポイント使用）、定番の観光地をめぐりながらイタリアならではのスポットも訪れたい人にお勧めの旅行プラン（８００ポイント使用）、ミラノではスカラ座のアトリエ工房、フィレンツェでは人気ブランドのミュージアムめぐりを楽しみたい人にお勧めの旅行プラン（７００ポイント使用）、の３つの旅程サンプルが例示されている。
【００４７】
観光詳細情報表示領域８は、上述の旅程表示領域５の中に表示された複数の観光コンテンツ選択肢１６にて示す観光コンテンツの内容の詳細を表示するものである。
具体的には、観光コンテンツ選択肢１６にも表示されている各観光コンテンツのコード番号、観光コンテンツ名、必要ポイント、添乗員の有無等に関する情報の他、その観光コンテンツのキャッチコピー、向いている対象者、具体的な内容、写真、出発時間や所要時間等に関する詳細な情報が表示されている。また、旅程に組み込まれているホテル等の宿泊施設の詳細情報についても表示されている。
【００４８】
例えば、図３に示すように、本実施形態では、旅行２日目「午前、ミラノ滞在、午後から車でベネチアへ」の中で選択可能な観光コンテンツである「ＭＬ１、ミラノ市内観光」、「ＭＬ２、スカラ座１００年の歴史の舞台裏」、「ＭＬ３、ミラノサッカーの聖地スタジアムツアー」に関する詳細な内容が写真や必要ポイントと共に、個別に表示されている。また、それらの下の段には、「ベネチアの中心サンマルコ広場近くにあるダニエリは映画撮影にも使われた老舗ホテルです。」というタイトルと共に、その日の宿泊施設に関する詳細な情報も写真付きで表示されている。
【００４９】
食事詳細情報表示領域９は、上述の旅程表示領域５の中に表示された複数の食事選択肢１９にて示す食事内容の詳細を表示するものである。
具体的には、食事選択肢１９にも表示されている各食事のコード番号、レストラン名、多段階式の推奨印２０、添乗員の有無等に関する情報の他、レストランのキャッチコピー、料理の内容やレストランの特徴等に関する詳細な情報が表示されている。
【００５０】
例えば、図４に示すように、本実施形態では、「ＶＣ５１、アンティコ・ピニョーロ」については「１２００年代の建物を改装した老舗レストラン」等と、「ＶＣ５２、ラ・テラッツァ・ダニエリ」については「宿泊ホテルの最上階にあるレストラン」等と、「ＶＣ５３、ド・フォルニ」については「伝統的なベネチア料理が有名なレストラン」等と、それぞれのレストランについて詳細な内容が写真と共に、個別に表示されている。また、それぞれのレストラン名の近傍には、付与された多段階式の推奨印２０が表示されており、「アンティコ・ピニョーロ」や「ラ・テラッツァ・ダニエリ」には、「ＧＧＧ」が付されている。なお、ここでは、そのレストランの名物料理等を紹介してもよい。
【００５１】
＜本実施形態に係る旅行商品販売用パンフレットの利用方法＞
次に、上記構成のパンフレット１の利用方法、すなわち、旅行を計画している需要者がパンフレット１を利用してパッケージツアー等の旅行商品を購入する場合の流れについて説明する。
まず、イタリアへの旅行を計画している需要者が、本実施形態のパンフレット１に掲載されている「イタリア周遊９日間」のパッケージツアーを購入する際には、パンフレット１の料金表示領域４を参照して、各自の予定と予算から、日程（出発日）、発着地、及び、座席クラスを決定する。
図２に示すように、本実施形態の場合、発着地は、成田、名古屋、関西、福岡の４つから選択することができる。また、発着地の選択によっては、出発時から添乗員がいない場合もあり得る。ここでは、添乗員は成田発着の便に同行しているので、添乗員が同行している便を希望する場合は、発着地に成田を選択する。
【００５２】
本実施形態では、このパッケージツアー「イタリア周遊９日間」には、旅行代金中に観光コンテンツを選択することができるポイントが、初期値で６５０ポイント付いている。すなわち、旅行代金には、６５０ポイント分の選べる観光コンテンツが含まれている。
なお、このポイントは所定のルールに従い、需要者に付与されるものであり、例えば、パッケージツアーを購入した際に旅行代金の中に予め含めることとし、需要者は、旅行商品を購入した際に所定のポイントを入手する仕組みとすることができる。本実施形態では、このポイントの初期値は６５０ポイントであるが、これに限定されるものではない。
また、ポイントが不足した場合には、１ポイント１００円等で追加購入することも可能である。また、観光コンテンツを選択して旅行プランを作成した結果、６５０ポイントに満たないの場合であっても返金しない仕組みとすることもできる。
【００５３】
需要者は、この所有する６５０ポイントを消費して、旅程表示領域５を参照しながら、各自の嗜好に合った観光コンテンツを自由に選択して組み合わせることにより、旅行プランを作成する。具体的には、図２に示すように、旅程表示領域５に含まれる観光内容表示欄１３の日次と時間帯（午前と午後）ごとに配置されている観光コンテンツ選択肢１６の中からそれぞれ選択して組み合わせる。
観光コンテンツ選択肢１６を選択する際は、図３及び図４に示すように、次頁以降に掲載されている観光詳細情報表示領域８を参考にして、それぞれの観光コンテンツ選択肢１６が示す観光内容の詳細を確認することもできる。
また、具体的な旅行プランを作成するのに迷ったりした場合には、図３に示すように、次頁以降に掲載されている旅程サンプル表示領域７に表示されている観光コンテンツ選択肢１６の選択例を参考にすることもできる。
なお、観光コンテンツを何も選択しない時間帯は自由行動となる。
【００５４】
夕食は、日次によって、用意されている日と用意されていない日があり、夕食が用意されている日、すなわち、「選べる夕食」の日は、複数のレストランから選択する。具体的には、上述の「Ｇ」マークの数等を参考にしながら、候補に挙がっている食事選択肢１９の中から各自の嗜好に応じて選択する。
また、食事選択肢１９を選択する際は、図４に示すように、次頁以降に掲載されている食事詳細情報表示領域９を参考にして、それぞれの食事選択肢１９が示す店の雰囲気や料理の特徴等の詳細を確認することもできる。
なお、本実施形態では、「選べる夕食」はパッケージツアーの基本代金の中に含まれているので、ポイントに関係なく選択することができる。
【００５５】
以下、需要者（旅行者）それぞれのケースに応じて具体的な旅行プランの作成例を挙げる。
（１）例えば、イタリア旅行が初めての年配の夫婦旅行であれば、４日目あたりまでは添乗員が同行する観光コンテンツを選択し、５日目に「列車で訪ねる塔の街ボローニャ」を選択する等、全体的に添乗員が同行する観光コンテンツを比較的多く取り入れてオーソドックスな旅行プランを作成することができる。
（２）また、複数の仲間と一緒に行くグループ旅行であれば、３日目の午後は「ベネチア散歩小路の奥へ」と「ベネチアングラスの歴史に触れる」の二手に分かれたり、５日目は「イタリア発祥老舗ブランドの哲学」と「順光のフィレンツェ歴史散歩」の二手に分かれたりと、グループ全体で目当ての店や観光スポット等の意見がまとまらない場合であっても、ある日はグループ全員一緒に行動し、ある日は個人で別々に行動するというようなこともできる。また、３日目に「職人の街工房めぐり」を選択する等、体験型観光を取り入れたりした旅行プランを作成することもできる。
（３）また、海外旅行に慣れている人のひとり旅であれば、イタリアには何度も来ているという場合もある。そのような場合は、２日目に「ミラノサッカーの聖地スタジアムツアー」、５日目に「スーパーカーフェラーリ物語」等の普段は見ることのできない観光コンテンツを選択したり、自由行動を取り入れて現地在住のイタリア人の友人と会ったりと、普通の観光旅行とは一味違った楽しみ方ができる独自の旅行プランを作成することができる。
【００５６】
このように、本実施形態では、一人の添乗員が案内するパッケージツアーであっても、個人の嗜好に合わせて、旅の内容が全く変わるという状況が生まれる。すなわち、同じ「イタリア周遊９日間」のパッケージツアーに参加した場合であっても、観光コンテンツ選択肢１６の選び方によって日中の楽しみ方はそれぞれ異なり、旅行者一人一人が、行ってみたい名所、食べてみたい味覚、対面したい名画等、個人個人の趣向を反映した自由な旅行プランを組み立てることができる。
一方、ホテル等の宿泊施設や都市から都市への移動手段等は、原則として、通常のパッケージツアーのようにツアー参加者全員で一緒に行動するので、現地での予約や各チケットの購入等の面倒な手配等も不要であり、便利で安心感もある。
したがって、本実施形態のパンフレット１に掲載された旅行商品を購入した旅行者であれば、添乗員が同行するパッケージツアーの安心感と個人旅行のような自由度を掛け合わせた旅行を楽しむことができる。
【００５７】
また、食事については、パッケージツアーであっても、同行するツアー参加者から離れて家族や仲間等の申込単位のグループだけで別の料理を食べて寛ぎたい等の要望や、静かな店を好む人、地元の人々で賑わう店を好む人、眺望の素晴らしいロマンチックな晩餐を好む人、広く知れ渡っているような格式の高い有名店を好む人等、その嗜好も様々である。
本実施形態においては、観光内容だけでなく、食事についても、上記の通り、選択可能な複数のレストランを用意しており、食事も複数の食事場所やメニューから選択できるようになっているので、それぞれの旅行者が満足できる食事を提供することができる。
なお、食事が選択できない日であっても、申込単位のグループごとのテーブルを用意すれば、夕食がツアー参加者と一緒の店であっても、旅行者はプライベートな寛いだ雰囲気の中で夕食を楽しむことができる。
【００５８】
上記の実施形態には、主として本考案の旅行商品販売用印刷物について説明した。しかし、上記の実施形態は、本考案の理解を容易にするための一例に過ぎず、本考案を限定するものではない。本考案は、その趣旨を逸脱することなく、変更、改良され得ると共に、本考案にはその等価物が含まれることはもちろんである。
特に、本実施形態では、その一形態としてパンフレットについて説明したが、本考案の旅行商品販売用印刷物には、旅行商品に関する情報、すなわち、旅行商品を販売するための情報を掲載した紙片であれば足り、その紙片一枚で構成されるリーフレットでもよいし、より頁数が多く装丁が施された書籍等の形態であってもよい。また、各項目の表記や観光コンテンツの内容等は、適宜変更することができる。
【符号の説明】
【００５９】
１    旅行商品販売用パンフレット（パンフレット）
２    紙片
３    ツアータイトル表示領域
４    料金表示領域
５    旅程表示領域
６    料金表
７    旅程サンプル表示領域
８    観光詳細情報表示領域
９    食事詳細情報表示領域
１１  日次表示欄
１２  日程表示欄
１３  観光内容表示欄
１４  時間軸
１５  発着選択肢
１６  観光コンテンツ選択肢
１７  ポイント表示部
１８  添乗員表示部
１９  食事選択肢
２０  推奨印
５１  旅行商品販売用パンフレット
５２  料金表示領域
５３  旅程表示領域
５４  料金表
５５  旅程表
【図１】
0003193263.tif 000003
【図２】
0003193263.tif 000004
【図３】
0003193263.tif 000005
【図４】
0003193263.tif 000006
【図５】
0003193263.tif 000007